(57)【要約】【課題】レンチキュラーレンズを有する記録媒体への印刷を行う際に生じ得る画質劣化を抑制する。【解決手段】インクを吐出するためのノズルを複数有する印刷ヘッドを備え、所定の搬送方向へ搬送される記録媒体へ当該ノズルからインクを吐出することにより記録媒体への画像の印刷を実現する印刷装置であって、レンチキュラーレンズを有する記録媒体へ画像を印刷する第一印刷モードの指示を受けた場合には、前記印刷ヘッドにおいて前記搬送方向に沿って並ぶ前記複数のノズルのうち一部のノズルのみを使用してインクの吐出を行い、前記レンチキュラーレンズを有する記録媒体とは異なる記録媒体へ画像を印刷する第二印刷モードの指示を受けた場合には、前記印刷ヘッドにおいて前記搬送方向に沿って並ぶ前記複数のノズルのうち前記一部のノズルよりも多い数のノズルを使用してインクの吐出を行う。【選択図】図７
2015030151.tif 000002
【特許請求の範囲】
【請求項１】
インクを吐出するためのノズルを複数有する印刷ヘッドを備え、所定の搬送方向へ搬送される記録媒体へ当該ノズルからインクを吐出することにより記録媒体への画像の印刷を実現する印刷装置であって、
レンチキュラーレンズを有する記録媒体へ画像を印刷する第一印刷モードの指示を受けた場合には、前記印刷ヘッドにおいて前記搬送方向に沿って並ぶ前記複数のノズルのうち一部のノズルのみを使用してインクの吐出を行い、
前記レンチキュラーレンズを有する記録媒体とは異なる記録媒体へ画像を印刷する第二印刷モードの指示を受けた場合には、前記印刷ヘッドにおいて前記搬送方向に沿って並ぶ前記複数のノズルのうち前記一部のノズルよりも多い数のノズルを使用してインクの吐出を行う、ことを特徴とする印刷装置。
【請求項２】
前記印刷ヘッドよりも前記搬送方向の上流側に配設された記録媒体を搬送するための第一ローラーと、前記印刷ヘッドよりも前記搬送方向の下流側に配設された記録媒体を搬送するための第二ローラーとを備え、
前記第一印刷モードの指示を受けた場合、少なくとも前記第一ローラーおよび前記第二ローラーによって前記レンチキュラーレンズを有する記録媒体が搬送されている期間に、前記一部のノズルのみを使用したインクの吐出を行うことを特徴とする請求項１に記載の印刷装置。
【請求項３】
前記第一印刷モードの指示を受けた場合、前記第一ローラーおよび前記第二ローラーのうちいずれか一方によって前記レンチキュラーレンズを有する記録媒体が搬送されている期間には、前記一部のノズルよりも多い数のノズルを使用したインクの吐出を行うことを特徴とする請求項２に記載の印刷装置。
【請求項４】
前記一部のノズルとは、前記レンチキュラーレンズを有する記録媒体との距離のばらつきが所定範囲に収まるノズルであることを特徴とする請求項１〜請求項３のいずれかに記載の印刷装置。
【請求項５】
インクを吐出するためのノズルを複数有する印刷ヘッドを備え、所定の搬送方向へ搬送される記録媒体へ当該ノズルからインクを吐出することにより記録媒体への画像の印刷を実現する印刷装置による印刷方法であって、
レンチキュラーレンズを有する記録媒体へ画像を印刷する第一印刷モードの指示を受けた場合には、前記印刷ヘッドにおいて前記搬送方向に沿って並ぶ前記複数のノズルのうち一部のノズルのみを使用してインクの吐出を行い、
前記レンチキュラーレンズを有する記録媒体とは異なる記録媒体へ画像を印刷する第二印刷モードの指示を受けた場合には、前記印刷ヘッドにおいて前記搬送方向に沿って並ぶ前記複数のノズルのうち前記一部のノズルよりも多い数のノズルを使用してインクの吐出を行う、ことを特徴とする印刷方法。
【請求項６】
印刷装置の調整方法であって、
前記印刷装置は、インクを吐出するためのノズルを複数有する印刷ヘッドを備え、所定の搬送方向へ搬送されるレンチキュラーレンズを有する記録媒体へ当該ノズルからインクを吐出することにより当該記録媒体への画像の印刷を実現可能であり、
前記印刷ヘッドにおいて前記搬送方向に沿って並ぶ前記複数のノズルのうち、前記記録媒体との距離のばらつきが所定範囲に収まるノズルを特定するノズル特定工程と、
前記特定されたノズルを使用してインクの吐出を行う記録方法を印刷装置に対して設定する設定工程と、を備えることを特徴とする印刷装置の調整方法。
【請求項７】
前記ノズル特定工程にて特定されたノズルの数が前記印刷ヘッドが有するノズルの総数に対して占める比率が所定のしきい値以下である場合、前記設定工程では、前記特定されたノズルの数よりも多い数のノズルを使用しかつ前記記録方法よりも高い解像度でインクの吐出を行う別の記録方法を印刷装置に対して設定する、ことを特徴とする請求項６に記載の印刷装置の調整方法。
【発明の詳細な説明】
【技術分野】
【０００１】
本発明は、印刷装置、印刷方法および印刷装置の調整方法に関する。
【背景技術】
【０００２】
インクを吐出するノズルが所定方向に配列されたインクジェット記録ヘッドを搭載したキャリッジをノズルの配列方向と交差する方向に記録媒体上で走査させて記録を行い、記録媒体を走査方向と略直交する方向に搬送すべく、記録ヘッドが走査する領域の前後に設けられた第１及び第２の搬送手段を有するインクジェット記録装置において、記録媒体が一方の搬送手段によって搬送されているときに、記録媒体の搬送方向における位置に応じて、記録媒体の記録面との距離が所定の範囲内となるノズルから走査に使用するノズルを設定する構成が知られている（特許文献１参照）。
【先行技術文献】
【特許文献】
【０００３】
【特許文献１】特許第４３０７０９２号
【発明の概要】
【発明が解決しようとする課題】
【０００４】
ここで、複数の視点画像が合成されたレンチキュラー画像を、レンチキュラーレンズを有する記録媒体（レンチキュラーシート）へ印刷することにより、立体的に視認される印刷結果をユーザーに提供する印刷技術が知られている。レンチキュラー画像の印刷に際して使用するレンチキュラーシートは、一般的な用紙よりも剛性が高くかつ厚みがある。そのため、レンチキュラーシートは、プリンターにおいて所定の搬送方向に沿って印刷ヘッド（記録ヘッド）へ搬送されたとき、一般的な用紙とは異なりプラテン上で大きく撓んだ姿勢となることがある。つまり、レンチキュラーシートは、印刷ヘッドのノズル面との距離（ペーパーギャップ。以下、ＰＧと表現する。）が、搬送方向に沿う位置毎に大きくばらつくような姿勢となることがある。このようなＰＧのばらつきは、印刷ヘッドの各ノズルから吐出されるインク滴によって再現される画像の色味や明るさにムラ（画質劣化）を与え得るものである。なお、上記文献は、レンチキュラーシートへの印刷を行う際の当該レンチキュラーシートの姿勢に起因する画質劣化を抑制するための技術を提供するものではない。
【０００５】
また、このようなレンチキュラーシートが採り得る姿勢は、プリンターの機体毎に異なる。そのため、レンチキュラーシートの姿勢に起因する画質劣化を抑制するには、個々のプリンター毎に最適な調整を行う必要がある。
【０００６】
本発明は上述の課題の少なくとも一つを解決するためになされたものであり、レンチキュラーレンズを有する記録媒体への印刷を行う際に生じ得る画質劣化を抑制することが可能な印刷装置、印刷方法および印刷装置の調整方法を提供する。
【課題を解決するための手段】
【０００７】
本発明の態様の一つは、インクを吐出するためのノズルを複数有する印刷ヘッドを備え、所定の搬送方向へ搬送される記録媒体へ当該ノズルからインクを吐出することにより記録媒体への画像の印刷を実現する印刷装置であって、レンチキュラーレンズを有する記録媒体へ画像を印刷する第一印刷モードの指示を受けた場合には、前記印刷ヘッドにおいて前記搬送方向に沿って並ぶ前記複数のノズルのうち一部のノズルのみを使用してインクの吐出を行い、前記レンチキュラーレンズを有する記録媒体とは異なる記録媒体へ画像を印刷する第二印刷モードの指示を受けた場合には、前記印刷ヘッドにおいて前記搬送方向に沿って並ぶ前記複数のノズルのうち前記一部のノズルよりも多い数のノズルを使用してインクの吐出を行う構成としてある。
【０００８】
当該構成によれば、ＰＧのばらつきが大きいと考えられるレンチキュラーレンズを有する記録媒体へ印刷を行う場合（第一印刷モードの場合）に、インクの吐出に使用するノズル数を制限する。これにより、レンチキュラーレンズを有する記録媒体への印刷結果において、レンチキュラーレンズを有する記録媒体の姿勢（ＰＧのばらつき）に起因する画質劣化を抑制できる。
【０００９】
本発明の態様の一つは、印刷装置は、前記印刷ヘッドよりも前記搬送方向の上流側に配設された記録媒体を搬送するための第一ローラーと、前記印刷ヘッドよりも前記搬送方向の下流側に配設された記録媒体を搬送するための第二ローラーとを備え、前記第一印刷モードの指示を受けた場合、少なくとも前記第一ローラーおよび前記第二ローラーによって前記レンチキュラーレンズを有する記録媒体が搬送されている期間に、前記一部のノズルのみを使用したインクの吐出を行うとしてもよい。
レンチキュラーレンズを有する記録媒体は、第一ローラーおよび第二ローラーによって搬送されている期間の姿勢が、ＰＧのばらつきが大きい姿勢であることが多い。そのため、少なくとも当該期間にインクの吐出に使用するノズル数に制限を加えることで、レンチキュラーレンズを有する記録媒体の姿勢（ＰＧのばらつき）に起因する画質劣化を抑制できる。
【００１０】
本発明の態様の一つは、印刷装置は、前記第一印刷モードの指示を受けた場合、前記第一ローラーおよび前記第二ローラーのうちいずれか一方によって前記レンチキュラーレンズを有する記録媒体が搬送されている期間には、前記一部のノズルよりも多い数のノズルを使用したインクの吐出を行うとしてもよい。
レンチキュラーレンズを有する記録媒体は、第一ローラーおよび第二ローラーのうちいずれか一方によって搬送されている期間の姿勢は、ＰＧのばらつきが比較的小さい姿勢であることが多い。そのため、当該期間においては、敢えてインクの吐出に使用するノズル数を制限しない或いは制限を少なくしても画質劣化を避けることができる。
【００１１】
本発明の態様の一つは、前記一部のノズルとは、前記レンチキュラーレンズを有する記録媒体との距離のばらつきが所定範囲に収まるノズルであるとしている。
当該構成によれば、印刷ヘッドが備える複数のノズルのうちレンチキュラーレンズを有する記録媒体とのＰＧが略安定しているノズルを用いて印刷が行われるため、印刷結果の画質を確実に良好なものとすることができる。
【００１２】
本発明の態様の一つは、前記レンチキュラーレンズを有する記録媒体が、前記レンチキュラーレンズを構成する長尺状のレンズの長手方向が前記搬送方向と平行な状態で搬送される場合と、前記レンチキュラーレンズを有する記録媒体が、前記長尺状のレンズの長手方向が前記搬送方向と直交した状態で搬送される場合とで、前記印刷ヘッドにおいて前記搬送方向に沿って並ぶ前記複数のノズルのうちでインクの吐出に使用するノズルを異ならせるとしてもよい。
搬送されるレンチキュラーレンズを有する記録媒体の向きが異なれば、その姿勢も異なると言える。そのため、搬送されるレンチキュラーレンズを有する記録媒体の向きに応じて、インクの吐出に使用するノズルを異ならせることで、レンチキュラーレンズを有する記録媒体の向きがいずれの向きであっても画質劣化を抑制することができる。
【００１３】
本発明にかかる技術的思想は印刷装置という形態のみで実現されるものではなく、他の物によって具現化されてもよい。また、上述したいずれかの態様の印刷装置の特徴に対応した工程を備える方法（印刷方法）の発明や、当該方法を所定のハードウェアに実行させる印刷プログラムの発明や、当該プログラムを記録したコンピューター読取可能な記憶媒体の発明も把握することができる。
【００１４】
さらに本発明は、印刷装置の調整方法であって、前記印刷装置は、インクを吐出するためのノズルを複数有する印刷ヘッドを備え、所定の搬送方向へ搬送されるレンチキュラーレンズを有する記録媒体へ当該ノズルからインクを吐出することにより当該記録媒体への画像の印刷を実現可能であり、前記印刷ヘッドにおいて前記搬送方向に沿って並ぶ前記複数のノズルのうち、前記記録媒体との距離のばらつきが所定範囲に収まるノズルを特定するノズル特定工程と、前記特定されたノズルを使用してインクの吐出を行う記録方法を印刷装置に対して設定する設定工程と、を備える構成としてもよい。
当該構成によれば、調整の対象とした印刷装置毎に、搬送されるレンチキュラーレンズを有する記録媒体が採る姿勢に応じてＰＧが略安定しているノズルを特定し、当該特定したノズルを用いた印刷を実行できる。つまり、機体固有の癖を有する印刷装置毎に、レンチキュラーシートの姿勢に起因する画質劣化を的確に抑制することができる。
【００１５】
また、前記ノズル特定工程にて特定されたノズルの数が前記印刷ヘッドが有するノズルの総数に対して占める比率が所定のしきい値以下である場合、前記設定工程では、前記特定されたノズルの数よりも多い数のノズルを使用しかつ前記記録方法よりも高い解像度でインクの吐出を行う別の記録方法を印刷装置に対して設定するとしてもよい。
ＰＧが安定しているノズルが少なすぎた場合、それらノズルだけを用いてレンチキュラーレンズを有する記録媒体へ印刷を行うと、印刷に多くの時間を要してしまう。そこで、このような場合には、敢えて印刷に使用するノズル数を多くしつつ、解像度を向上させることで、印刷スピードの低下防止と画質低下の防止とを図るようにしている。
なお、このような調整方法を実施するための装置や、この装置に当該調整方法を実施させるためのプログラムや、当該プログラムを記録したコンピューター読取可能な記憶媒体等も、それぞれ発明として把握することができる。
【図面の簡単な説明】
【００１６】
【図１】印刷装置を概略的に示す図である。
【図２】レンチキュラーシートへの印刷を簡単に説明するための図である。
【図３】印刷装置の調整方法を実施するためのシステムを簡易に示す図である。
【図４】印刷装置の調整方法を示すフローチャートである。
【図５】印刷ヘッドのノズル面を例示する図である。
【図６】印刷ヘッド周辺の一部構成を主走査方向からの視点により例示する図である。
【図７】印刷処理を示すフローチャートである。
【図８】レンチキュラーシートの向きと搬送方向との関係を示す図である。
【発明を実施するための形態】
【００１７】
以下、図面を参照しながら本発明の実施形態を説明する。
１．印刷装置の概略
図１は、本実施形態にかかる印刷装置の構成を概略的に示している。図１では、印刷装置１０を示している。ここでは、印刷装置１０は、インク（液体）を吐出するための複数のノズルからインクを吐出するインクジェットプリンターであるとして説明を行う。印刷装置１０は、印刷処理を制御するための制御部１１を有する。制御部１１では、ＣＰＵ１２が、例えば、ＲＯＭ１３に記憶されたプログラムをＲＡＭ１４等のメモリーに展開してプログラムに従った演算を行なうことにより、自機を制御するためのファームウェアが実現される。
【００１８】
制御部１１は、例えば、通信インターフェイス（ＩＦ）１５を介して有線あるいは無線で通信可能に接続された不図示の外部装置（例えば、デスクトップＰＣ、携帯型端末、スキャナー、デジタルスチルカメラ等）や、印刷装置１０に外部より挿入された記憶メディア等から画像データを入力し、入力した画像データに基づいた印刷処理を実現することができる。外部より挿入された記憶メディアとは、例えばメモリーカードＭＣであり、メモリーカードＭＣは、印刷装置１０の筺体に形成されたスロット部１６に挿入される。
【００１９】
印刷装置１０は、操作パネル１７を備える。操作パネル１７は、表示部（例えば液晶パネル）や、表示部内に形成されるタッチパネルや、各種ボタンやキーを含み、印刷処理に必要な情報を、ユーザーからの入力により受け付けたり、必要なユーザーインターフェイス（ＵＩ）画面を表示部に表示したりする。
また、印刷装置１０は、搬送機構１８を備える。搬送機構１８は、ローラー２６，２７（図６参照）やローラー２６，２７を回転させる不図示のモーター等を備え、所定の搬送方向ＦＤ（図５参照）に沿って記録媒体を搬送する。記録媒体は、代表的には紙であるが、例えば、プラスチックや繊維等、紙以外の各種素材であってもよい。また、印刷装置１０は、記録媒体の一種として、レンチキュラーレンズを有する記録媒体（レンチキュラーシートＳ）も使用可能である。
【００２０】
印刷装置１０は、キャリッジ１９を備えており、キャリッジ１９は複数種類のインク毎のカートリッジ２０を搭載している。図１の例では、シアン（Ｃ）、マゼンダ（Ｍ）、イエロー（Ｙ）、ブラック（Ｋ）の各色のインクに対応した複数のカートリッジ２０が搭載されている。ただし、印刷装置１０が使用する液体の具体的な種類や数は上述したものに限られず、例えば、ライトシアン、ライトマゼンダ、オレンジ、グリーン、グレー、ライトグレー、ホワイト、メタリックインク、プレコート液…等、種々の液体を使用可能である。また、カートリッジ２０は、キャリッジ１９に搭載されずに印刷装置１０内の所定位置に設置されるとしてもよいし、カートリッジ２０は、インクタンク、インクパッケージ等の体裁でもよい。また、キャリッジ１９は、各カートリッジ２０から供給されるインクを複数のノズル２３（図５参照）から吐出（噴射）する印刷ヘッド２１を備える。
【００２１】
制御部１１は、画像データに対して各種画像処理や変換処理（例えば、解像度変換処理や、色変換処理や、ハーフトーン処理）を行うことにより、搬送機構１８やキャリッジモーター２２や印刷ヘッド２１等を駆動するための駆動信号を生成する。印刷ヘッド２１内には、各ノズル２３に対応して、ノズル２３からインク（インク滴）を吐出させるための圧電素子が設けられている。圧電素子は、前記駆動信号が印加されると変形して、対応するノズル２３からインクを吐出させる。搬送機構１８は、制御部１１に駆動制御されることにより、搬送方向ＦＤに沿って記録媒体を搬送する。また、制御部１１は、キャリッジモーター２２を駆動制御することにより、キャリッジ１９（および印刷ヘッド２１）を搬送方向ＦＤと交差する方向（主走査方向ＳＤ。図５参照。）に沿って移動（主走査）させ、かつ当該移動に伴って印刷ヘッド２１の各ノズル２３からインクを吐出させる。これにより、記録媒体にドットが形成され、画像データに基づく画像が記録媒体上に再現される。ドットとは、記録媒体に付着した状態のインク滴を意味する。なお前記“交差”とは、直交の意である。ただし、直交といっても、厳密な直交（９０°）のみを意味するのではなく、製品の品質上許容される程度の角度の誤差を含む意味である。
【００２２】
２．レンチキュラーシートへの印刷についての簡単な説明
次に、レンチキュラーシートＳへの画像の印刷について、図２に基づいて簡単に説明する。図２は、上段右にレンチキュラーシートＳを、上段左にレンチキュラーシートＳへ印刷されるレンチキュラー画像ＩＭを、それぞれ例示している。レンチキュラー画像ＩＭとは、複数の視点画像を合成した画像であり、ここではビットマップデータ（前記画像データの一種）の状態とする。例えば、任意の被写体を異なる複数の視点で撮像して得られた複数枚の画像（視点画像）をそれぞれ短冊状に細かく切り分け、それら切り分けた短冊状の複数の画像を束状に寄せ集めて１枚分の画像サイズに圧縮したものが、レンチキュラー画像ＩＭである。レンチキュラー画像ＩＭの生成の元となる視点画像の枚数は特に限定されないが、図２の説明においては一例として、その数を８とする。
【００２３】
レンチキュラーシートＳは、一方側の面にレンチキュラーレンズＬを有する。レンチキュラーレンズＬは、長尺状かつ断面が半球状のレンズ（単位レンズＬａ）を複数有して構成されている。図２の中段においては、レンチキュラーシートＳの一部を拡大して斜視図により例示している。レンチキュラーレンズＬを構成する複数の単位レンズＬａは、長手方向を平行にして、それらの短手方向に並んでいる。ここでは、レンチキュラーシートＳについて、単位レンズＬａの長手方向（＝レンチキュラーレンズＬの長手方向）を方向Ｄｙ、単位レンズＬａの短手方向（＝レンチキュラーレンズＬの短手方向）を方向Ｄｘと表現する。また、レンチキュラーシートＳのレンチキュラーレンズＬが配置された面と反対側の面を記録面ＰＳと呼ぶ。印刷装置１０は、レンチキュラー画像ＩＭを記録面ＰＳへ印刷する。ユーザーは、このような印刷の結果を、レンチキュラーレンズＬが配置された面側から見ることで、レンチキュラー画像ＩＭが表現する被写体を立体的に視認することができる。
【００２４】
レンチキュラー画像ＩＭは、単位レンズＬａのサイズに略対応した長尺状の画像領域ＩＭａを単位レンズＬａの数分有する。一つの画像領域ＩＭａは上述した短冊状の画像の寄せ集めである。つまり、上述したように視点画像の数が８であれば、一つの画像領域ＩＭａは、８枚それぞれの視点画像から切り分けられた８種の短冊状の画像が束になって構成されている。図２の下段においては、一つの単位レンズＬａに対応する記録面ＰＳの範囲に、一つの画像領域ＩＭａを構成する複数の画像（前記８枚の視点画像それぞれから切り分けられた８種の短冊状の画像Ｉ１，Ｉ２，Ｉ３，Ｉ４，Ｉ５，Ｉ６，Ｉ７，Ｉ８）が方向Ｄｘに並んで印刷された状態を拡大図により例示している。
【００２５】
３．印刷装置の調整方法
上述の構成を踏まえ、本実施形態にかかる印刷装置の調整方法を説明する。
図３は、印刷装置の調整方法を実施するためのシステム５０を簡易的に示している。システム５０は、当該調整方法の主体となる調整装置３０（コンピューター）と、調整対象となる複数台の印刷装置１０，１０，１０…と、測定器４０と、を含む。
図４は、調整装置３０が当該調整方法のために用意されたプログラムに従って実行する印刷装置の調整処理を示したフローチャートである。当該フローチャートは、例えば、複数台の印刷装置１０が市場に出荷される前の段階で実施される。
【００２６】
ステップＳ１００では、調整装置３０は、調整対象とする一台の印刷装置１０と通信可能に接続して、ノズル２３についてのＰＧの評価を実行する。
図５は、印刷ヘッド２１における複数のノズル２３が配列されたノズル面２５を例示している。ノズル面２５には、印刷ヘッド２１が吐出するインク種類（例えば、Ｃ、Ｍ、Ｙ、Ｋ）毎のノズル群が設けられている。ノズル群の各々は、ノズル列２４によって構成されている。ノズル列２４とは、一定方向に略等間隔で並ぶ複数のノズル２３からなる列であり、図５では一つのノズル列２４を鎖線で囲って分かり易く示している。なお、図５では、ノズル列２４を構成するノズル２３数を、現実に製造される製品（印刷ヘッド２１）におけるノズル列を構成するノズル数よりもかなり少なく描いている。
【００２７】
ノズル面２５においてノズル列２４が向く方向を、ノズル列方向（方向Ｄ１）と表現する。また、ノズル面２５において方向Ｄ１と直交する方向を、方向Ｄ２とする。図５の例では、一つのインク種類に対応するノズル群は、方向Ｄ１に所定距離だけずれて配置された２つのノズル列２４によって構成されている。また、インク種類毎の複数のノズル群は、方向Ｄ２に沿って並んでいる。印刷ヘッド２１は、図５に示すように、ノズル面２５に垂直な視点で見たとき、方向Ｄ１が搬送方向ＦＤと平行になるように（方向Ｄ２が主走査方向ＳＤと平行になるように）印刷装置１０内に配設される。むろん、平行といっても、厳密な平行のみを意味するのではなく、製品の品質上許容される程度の角度の誤差を含む意味である。
【００２８】
図６は、印刷ヘッド２１周辺の一部構成を、主走査方向ＳＤからの視点により例示している。印刷ヘッド２１のノズル面２５の鉛直方向下側には、プラテン２８が配置されている。また、印刷ヘッド２１よりも搬送方向ＦＤの上流側（給紙側）にはローラー２６が、印刷ヘッド２１よりも搬送方向ＦＤの下流側（排紙側）にはローラー２７が、それぞれ設けられている。記録媒体（例えば、レンチキュラーシートＳ）は、搬送機構１８によって上流側から下流側へ搬送される過程で、ある期間はローラー２６，２７のうちローラー２６のみに挟まれて搬送される。そして、記録媒体の先端がローラー２７に到達してからのある期間ではローラー２６，２７の両方に挟まれて搬送され、記録媒体の後端がローラー２６から離脱してからのある期間ではローラー２６，２７のうちローラー２７のみに挟まれて搬送される。以下では、記録媒体がローラー２６，２７のうちローラー２６のみに挟まれて搬送さる期間を「第一期間」、記録媒体がローラー２６，２７の両方に挟まれて搬送される期間を「第二期間」、記録媒体がローラー２６，２７のうちローラー２７のみに挟まれて搬送される期間を「第三期間」、とそれぞれ呼ぶ。このように搬送されるレンチキュラーシートＳは、ノズル面２５下を通過する際、その剛性の高さや厚さに起因して、搬送方向ＦＤに沿う複数のノズル２３の各位置でＰＧが一定とならない姿勢（例えば、図６に示すような姿勢）となる。
【００２９】
ステップＳ１００の詳細を説明する。ステップＳ１００においては、調整装置３０は、所定のテスト画像を表現した画像データに基づく当該テスト画像のレンチキュラーシートＳ（記録面ＰＳ）への印刷を印刷装置１０に実行させる。例えば、印刷ヘッド２１が有する複数のノズル２３を搬送方向ＦＤに沿って複数のグループに分けたときの各グループ（ノズルグループ）に、同一の画像データによる同じテスト画像を印刷させる。テスト画像の印刷に際しては、印刷ヘッド２１は、主走査方向ＳＤの往路および復路のいずれでもインクを吐出する双方向印刷を行う。図５では、複数のノズル２３を、搬送方向ＦＤに沿って、例えば４つのノズルグループに分けた場合を例示している。図５（図６も参照）では、各ノズルグループについて、便宜上、上流側から下流側へ順番にグループＧ１，Ｇ２，Ｇ３，Ｇ４と名付けている。
【００３０】
レンチキュラーシートＳに印刷されたテスト画像は、測定器４０によって測定される。測定器４０は、例えば、測色器である。測定器４０によるテスト画像の測定結果（測色結果）は、調整装置３０へ入力される。調整装置３０は、入力されたグループＧ１，Ｇ２，Ｇ３，Ｇ４の各々によって印刷されたテスト画像の測色結果を評価する。例えば、グループＧ１によって印刷されたテスト画像の色彩値（例えば、Ｌ*ａ*ｂ*値）の平均値、グループＧ２によって印刷されたテスト画像の色彩値の平均値、グループＧ３によって印刷されたテスト画像の色彩値の平均値、グループＧ４によって印刷されたテスト画像の色彩値の平均値それぞれを、テスト画像についての基準となる色彩値（既知）と比較する。当該比較によって、グループＧ１，Ｇ２，Ｇ３，Ｇ４毎のＰＧのばらつき具合を間接的に評価することができる。
【００３１】
仮に、ノズル面２５における搬送方向ＦＤに沿ういずれの位置でもＰＧが一定であれば、グループＧ１，Ｇ２，Ｇ３，Ｇ４がそれぞれ印刷したテスト画像の測色結果は、ほぼ同一となる。一方、ノズル面２５における搬送方向ＦＤに沿う各位置でＰＧがばらついていれば、グループＧ１，Ｇ２，Ｇ３，Ｇ４がそれぞれ印刷したテスト画像の測色結果もばらつく。これは、ＰＧが異なれば、ノズル２３から吐出されるインクの記録媒体上での着弾位置にずれ（特に、主走査方向ＳＤへのずれ）が生じ、このような位置のずれが、印刷結果の色味や明るさの違いを生むからである。
【００３２】
ステップＳ１１０では、調整装置３０は、ステップＳ１００の結果に従って、印刷ヘッド２１において搬送方向ＦＤに沿って並ぶ複数のノズル２３（グループＧ１，Ｇ２，Ｇ３，Ｇ４）のうち、ＰＧのばらつきが所定範囲に収まるノズル２３を特定する。このようなＰＧのばらつきが所定範囲に収まるノズル２３を「使用ノズル」と表現する。
例えば、調整装置３０は、前記テスト画像の基準となる色彩値との比較において差（色差）が所定範囲に収まるグループを、ＰＧのばらつきが所定範囲に収まるノズル２３として特定する。搬送されるレンチキュラーシートＳの姿勢を考慮すると、基本的にグループＧ１，Ｇ２，Ｇ３，Ｇ４間でのＰＧの差は、搬送方向ＦＤにおける距離が遠いグループ間でより大きなものとなる。そのため、ステップＳ１１０では、搬送方向ＦＤに沿って連続して存在する幾つかのグループがまとめて、ＰＧのばらつきが所定範囲に収まるノズル２３（使用ノズル）として特定される。
【００３３】
ステップＳ１２０では、調整装置３０は、ステップＳ１１０で特定した使用ノズルに従って、レンチキュラーシートＳへ印刷を行うための記録方法の設定を印刷装置１０に対して行う。記録方法とは、搬送機構１８による記録媒体の搬送速度、キャリッジ１９の移動速度、主走査中における単位時間当たりのノズル２３からインクを吐出する回数、主走査方向の一ラスターラインの印刷に必要な主走査の回数、等といった印刷の実現に必要な種々の要素を規定したルールである。記録方法の中には、どのノズル２３を使用しどのノズル２３を使用しないかといったノズル制限の規定も含まれる。例えば、各印刷装置１０は、複数の記録方法に対応可能であり、複数の記録方法を予めＲＯＭ１３等のメモリーに記憶している。そこで、調整装置３０は、レンチキュラーシートＳへの印刷の際には当該複数の記録方法のうちステップＳ１１０で特定した使用ノズルを使用する記録方法を採用する設定を、印刷装置１０に対して施す。
【００３４】
具体的には、本実施形態では、各印刷装置１０はグループＧ１，Ｇ２，Ｇ３，Ｇ４の全てを使用する「記録方法１」、グループＧ１，Ｇ２，Ｇ３のみを使用する「記録方法２」、グループＧ２，Ｇ３，Ｇ４のみを使用する「記録方法３」、のそれぞれに少なくとも対応可能であるとする。そこで、ステップＳ１１０においてグループＧ１，Ｇ２，Ｇ３，Ｇ４の全てが使用ノズルと特定された場合は、調整装置３０は、レンチキュラーシートＳへの印刷の際には「記録方法１」を採用する設定を印刷装置１０に施す（当該設定をＲＯＭ１３等のメモリーに記憶させる。以下同様。）。また、調整装置３０は、グループＧ１，Ｇ２，Ｇ３が使用ノズルと特定された場合は、レンチキュラーシートＳへの印刷の際には「記録方法２」を採用する設定を印刷装置１０に施し、グループＧ２，Ｇ３，Ｇ４が使用ノズルと特定された場合は、レンチキュラーシートＳへの印刷の際には「記録方法３」を採用する設定を印刷装置１０に施す。
【００３５】
印刷ヘッド２１下を搬送される際のレンチキュラーシートＳの姿勢は、印刷装置１０の機体毎に異なる。これは、例えば、ローラー２６，２７の取り付け位置や、ローラー２６，２７を回転させるモーター等の特性が、機体毎に微妙に異なるからである。そのため、上述したステップＳ１００〜Ｓ１２０の処理は、調整対象となる複数台の印刷装置１０，１０，１０…毎に行われる。つまり本実施形態によれば、印刷装置１０それぞれに、機体固有の特性の影響を受けて異なるレンチキュラーシートＳの姿勢に応じて、ＰＧのばらつきの少ないノズル２３を使用する最適な記録方法が設定される。
【００３６】
なお、レンチキュラーシートＳの姿勢によっては、印刷ヘッド２１が有するノズル２３の総数に対して占めるステップＳ１１０で特定された使用ノズルの比率が、５０％以下となることがある。つまり、グループＧ１，Ｇ２が使用ノズルと特定される場合や、グループＧ２，Ｇ３が使用ノズルと特定される場合や、グループＧ３，Ｇ４が使用ノズルと特定される場合である。このような場合、使用ノズルに忠実に従った記録方法を設定すると、使用ノズル数が少ないために、以後のレンチキュラーシートＳへの印刷に時間がかかり過ぎる虞がある。そこで、このような場合には、調整装置３０は、レンチキュラーシートＳへの印刷の際にはグループＧ１，Ｇ２，Ｇ３，Ｇ４の全てを使用する「記録方法４」を採用する設定を印刷装置１０に対して施す（ステップＳ１２０）としてもよい。
【００３７】
記録方法４と記録方法１との違いは解像度（ｄｐｉ）にある。つまり、記録方法４は、主走査方向ＳＤの解像度が、記録方法１が規定する主走査方向ＳＤの解像度以上であり、かつ、搬送方向ＦＤの解像度が、記録方法１が規定する搬送方向ＦＤの解像度以上である。同様に、記録方法４は、記録方法２および記録方法３との比較においても、より高解像度であるとする。例えば、記録方法１，２，３による解像度が７２０ｄｐｉ×７２０ｄｐｉである場合、記録方法４による解像度は１４４０ｄｐｉ×１４４０ｄｐｉとする。このように、記録方法４によれば、ノズル数が少な過ぎることによる印刷時間の長時間化を防ぎ、かつ、高解像度化により、ＰＧのばらつきが少ないノズル２３以外のノズル２３も使用することによる画質劣化を打ち消すようにしている。
【００３８】
各印刷装置１０は、ステップＳ１２０における設定に以後拘束される。つまり、市場に出荷された後、レンチキュラーシートＳに印刷を行う際には、ステップＳ１２０で設定された記録方法を採用する。ステップＳ１２０で設定された記録方法を、以下では便宜上、レンチキュラーシートＳの印刷に専用の記録方法という意味で「専用記録方法」と呼ぶ。
【００３９】
ローラー２６，２７とレンチキュラーシートＳの姿勢との関係について説明を補足する。上述したように記録媒体が印刷ヘッド２１下を搬送される期間は、第一、第二および第三期間に大別されるが、このような期間毎に記録媒体の姿勢は微妙に異なる。発明者が、これら各期間とレンチキュラーシートＳの姿勢との関係を検証したところ、ローラー２６，２７のいずれか一方のみによって搬送される第一期間および第三期間におけるレンチキュラーシートＳの姿勢よりも、ローラー２６，２７の両方によって搬送される第二期間におけるレンチキュラーシートＳの姿勢の方が、搬送方向ＦＤに沿った各位置でのＰＧのばらつきが大きいという知見が得られた。これは、剛性が高くかつ厚みがあるレンチキュラーシートＳに特有の結果と言える。なお、レンチキュラーシートＳよりも柔らかくかつ薄い他の記録媒体（普通紙や光沢紙）では、第二期間よりも第一期間および第三期間の方が、記録媒体の姿勢が不安定となりやすい。
【００４０】
このような知見に基づき、前記ステップＳ１００では、調整装置３０は、印刷装置１０に、レンチキュラーシートＳへのテスト画像の印刷を第二期間内に実行させる。つまり、搬送方向ＦＤに沿った各位置のＰＧにばらつきが最も表れやすい期間にテスト画像を印刷させることにより、テスト画像の測定結果に応じて、画質を安定させるために相応しいノズル２３（使用ノズル）を確実に特定できるようにしている。
【００４１】
なお、ノズル２３の総数に対して占める使用ノズルの比率が低いか否かを判定するためのしきい値は、上述の場合は５０％であるが、むろんそれ以外の値であってもよい。
また、印刷ヘッド２１が有するノズル２３を搬送方向ＦＤに沿ってグループ分けする際のノズルグループ数は、４つに限られないことは言うまでもない。ノズルグループ数の増加に伴い、印刷装置１０に設定され得る専用記録方法の種類も増加する。また本実施形態において、ノズル面２５とレンチキュラーシートＳとの間におけるＰＧと、ステップＳ１１０で特定される使用ノズルとの関係性を簡潔に表すと、搬送方向ＦＤの上流側のＰＧと下流側のＰＧとの差が大きいほど、使用ノズルとして特定されるノズル数は少なくなると言える。
【００４２】
４．印刷装置の挙動についての詳細
上述の調整処理を受けた後の印刷装置１０の挙動についてさらに説明をする。
図７は、一台の印刷装置１０が実行する印刷処理をフローチャートにより示している。当該フローチャートは、制御部１１により実行される。
ステップＳ２００では、制御部１１は、外部からの印刷指示を受け付ける。外部からの印刷指示とは、例えば、通信ＩＦ１５を介して受信した前記外部装置からの指示（印刷コマンド等）であったり、操作パネル１７を操作するユーザーがＵＩ画面を介して行う指示であったりする。印刷指示には、印刷すべき画像を表現した画像データの指定（あるいは、適宜圧縮等がされた画像データそのもの）が含まれており、また、印刷モードの指定も含まれている。ユーザー（前記外部装置あるいは印刷装置１０を操作するユーザー）は複数の印刷モードの中から任意に選択した印刷モードを指示可能であり、複数の印刷モードの中には「第一印刷モード」が含まれる。第一印刷モードとは、レンチキュラーシートＳに対してレンチキュラー画像ＩＭを印刷するための印刷モードである。
【００４３】
ステップＳ２１０では、制御部１１は、ステップＳ２００で受け付けた印刷指示に含まれる印刷モードの指定が、第一印刷モードの指定であるか否か判定する。第一印刷モードが指定されていればステップＳ２２０へ進み、第一印刷モード以外の印刷モードが指定されていればステップＳ２３０へ進む。第一印刷モード以外の印刷モードとは、レンチキュラーシートＳとは異なる記録媒体（例えば、普通紙や光沢紙）へ画像を印刷するための印刷モードであり、それらをまとめて「第二印刷モード」とも呼ぶ。
【００４４】
ステップＳ２２０では、制御部１１は、前述の専用記録方法を採用して、印刷指示にかかる画像データ（レンチキュラー画像ＩＭを表現した画像データ）に基づく印刷を実行する。つまり、専用記録方法が規定する使用ノズルを用いて、かつ専用記録方法が規定する、使用ノズルの設定以外に関する各種ルール（解像度等）にも従い、印刷ヘッド２１からレンチキュラーシートＳ（記録面ＰＳ）へインクを吐出させ、レンチキュラー画像ＩＭを再現する。
【００４５】
一方、ステップＳ２３０では、制御部１１は、「ノズル制限が無い所定の記録方法」を採用して、印刷指示にかかる画像データに基づく印刷を、そのとき指定されている印刷モード（第二印刷モード）で使用する記録媒体（レンチキュラーシートＳとは異なる記録媒体）に対して行う。「ノズル制限」とは、印刷ヘッド２１が有する全ノズルの一部が使用ノズルでありその使用ノズルを用いることを意味し、「ノズル制限が無い」とは、全てのノズルグループを使用するという意味である。なお、ノズル制限が無い所定の記録方法は、実質的に記録方法１と同じであってもよい。
【００４６】
上述したように専用記録方法は、例えば、記録方法１，２，３，４のいずれかである。そのため、印刷装置１０によっては、専用記録方法として記録方法１または記録方法４が設定されていることがある。しかし、搬送されるレンチキュラーシートＳの姿勢を考慮すると、前記調整処理の対象とされた複数の印刷装置１０の多くで、専用記録方法として、ノズル制限を伴う記録方法２または記録方法３が設定される。かかる観点に基づけば、前記調整処理の対象とされた複数の印刷装置１０の少なくとも一部の印刷装置１０は、第一印刷モードの指示を受けた場合には、印刷ヘッド２１において搬送方向ＦＤに沿って並ぶ複数のノズル２３のうち一部のノズル２３（例えば、グループＧ２，Ｇ３，Ｇ４に属するノズル２３）のみを使用してインクの吐出を行うと言える。かつ、当該一部の印刷装置１０は、第二印刷モードの指示を受けた場合には、印刷ヘッド２１において搬送方向ＦＤに沿って並ぶ複数のノズル２３のうち前記一部のノズル２３（例えば、グループＧ２，Ｇ３，Ｇ４に属するノズル２３）よりも多い数のノズル２３（例えば、グループＧ１，Ｇ２，Ｇ３，Ｇ４に属するノズル２３）を使用してインクの吐出を行う、と言える。
【００４７】
ただし、ノズル制限が無い所定の記録方法は、グループＧ１，Ｇ２，Ｇ３，Ｇ４すべてを使用する場合であっても、グループＧ１，Ｇ２，Ｇ３，Ｇ４に属する全てのノズル２３（印刷ヘッド２１が有する全てのノズル２３）を使用するかと言えば、そうとも言い切れない。個々のノズル２３の吐出性能を考慮して、例えば、ドットの飛行曲がりが大きいとされる一部の不良なノズル２３（例えば、ノズル列２４の最も上流側の幾つかのノズル２３および最も下流側の幾つかのノズル２３）については使用を禁止するとしてもよい。
【００４８】
また本実施形態によれば、ステップＳ２２０，Ｓ２３０のいずれであっても、採用された記録方法は、基本的には上述の第一、第二および第三期間に亘って実施される。従って、専用記録方法として記録方法２または記録方法３が設定された印刷装置１０は、第一印刷モードの指示を受けた場合、少なくとも第二期間に、印刷ヘッド２１において搬送方向ＦＤに沿って並ぶ複数のノズル２３のうち一部のノズル２３のみを使用したインクの吐出を行う（ステップＳ２２０）、と言える。
【００４９】
記録媒体は、搬送機構１８によって搬送されるとき、斜めに傾いたままで搬送される（スキュー搬送される）ことがある。本実施形態では、レンチキュラーシートＳがスキュー搬送された場合であっても、インクの吐出に用いるノズル数を上述したように制限して印刷を行うことにより、レンチキュラーシートＳへのインクの着弾位置のずれを少なくでき、その結果、画質劣化を抑制することができる。
なお、上述したインクの着弾位置のずれが大きい場合、レンチキュラーシートＳへの印刷結果においては、レンチキュラーシートＳの特性上、このようなずれが特に視認され易い。そのため、本発明を適用することにより、着弾位置のずれを少なくし、レンチキュラーシートＳに印刷された画像の画質劣化を抑制することができる。
【００５０】
５．変形例
本発明は上述の実施形態に限られるものではなく、その要旨を逸脱しない範囲において種々の態様において実施することが可能であり、例えば以下に説明する変形例も可能である。上述の実施形態と変形例とを適宜組み合わせた構成も、本発明の開示に含まれる。
【００５１】
変形例１：
ノズル制限を伴う専用記録方法が設定された印刷装置１０は、第一印刷モードの指示を受けた場合、第二期間に限って、専用記録方法を採用する（ステップＳ２２０）としてもよい。つまり、専用記録方法として記録方法２が設定されている印刷装置１０は、第一印刷モードの指示を受けた場合、第二期間に、使用ノズル（グループＧ１，Ｇ２，Ｇ３）に限定したインク吐出を行い、第一期間および第三期間では、ノズル制限をせずグループＧ１，Ｇ２，Ｇ３，Ｇ４の全てからインク吐出可能とする。同様に、専用記録方法として記録方法３が設定されている印刷装置１０は、第一印刷モードの指示を受けた場合、第二期間に、使用ノズル（グループＧ２，Ｇ３，Ｇ４）に限定したインク吐出を行い、第一期間および第三期間では、ノズル制限をせずグループＧ１，Ｇ２，Ｇ３，Ｇ４の全てからインク吐出可能とする。
【００５２】
つまり、ＰＧのばらつきが特に大きいのは第二期間であるため、第二期間に限ってノズル制限をすることでＰＧのばらつきに起因する画質劣化を実質的に抑え、かつ、それ以外の期間ではノズル制限を無くすことで全体的な印刷速度の向上を図っている。このような変形例１によれば、印刷装置１０は、第一印刷モードの指示を受けた場合、第一期間および第三期間には、印刷ヘッド２１が有する全てのノズル２３の一部である使用ノズルよりも多い数のノズル２３を使用したインクの吐出を行う、と言える。印刷装置１０は、第一、第二および第三期間の判別を、例えば、ローラー２６，２７の近傍で記録媒体の端部を検知するセンサーによる検知結果に基づいて行ったり、ローラー２６，２７を回転させるモーターにおける負荷の計測に基づいて行ったりすることができる。
【００５３】
変形例２：
印刷装置１０では、レンチキュラーシートＳが、単位レンズＬａの長手方向（方向Ｄｙ）が搬送方向ＦＤと平行な状態で搬送される場合（図８Ａ参照）と、方向Ｄｙが搬送方向ＦＤと直交した状態で搬送される場合（図８Ｂ参照）とが有り得る。以下では、図８Ａに示したレンチキュラーシートＳの向きと搬送方向ＦＤとの関係を「第一の搬送態様」と呼び、図８Ｂに示したレンチキュラーシートＳの向きと搬送方向ＦＤとの関係を「第二の搬送態様」と呼ぶ。第一の搬送態様と第二の搬送態様とでは、当然、搬送中のレンチキュラーシートＳの姿勢も異なる。そこで、調整装置３０は、印刷装置１０毎のステップＳ１００〜Ｓ１２０（図４）の処理を、第一の搬送態様、第二の搬送態様毎に行うとしてもよい。つまり、一台の印刷装置１０について、レンチキュラーシートＳを第一の搬送態様で搬送した状況下での専用記録方法と、レンチキュラーシートＳを第二の搬送態様で搬送した状況下での専用記録方法とが設定される。
【００５４】
そして、印刷装置１０は、ステップＳ２２０（図７）では、そのときのレンチキュラーシートＳの搬送態様が第一の搬送態様か第二の搬送態様かを（例えば、搬送経路に設けられた所定のセンサーにより）判別し、判別した搬送態様に対応して設定されている専用記録方法を採用して印刷を行う。第一の搬送態様に対応する専用記録方法と、第二の搬送態様に対応する専用記録方法とで、使用ノズルが異なることが当然有り得る。そのような場合の印刷装置１０は、レンチキュラーシートＳの搬送態様が第一の搬送態様であるか第二の搬送態様であるかによって、印刷ヘッド２１において搬送方向ＦＤに沿って並ぶ複数のノズル２３のうちでインクの吐出に使用するノズル２３を異ならせる、と言える。このような変形例２によれば、搬送方向ＦＤに対する向きの違いによって異なるレンチキュラーシートＳの姿勢に基づいて、ＰＧのばらつきの少ないノズル２３を使用する最適な記録方法が設定される。つまり、第一の搬送態様、第二の搬送態様のいずれを採用しても、レンチキュラーシートＳへの印刷結果の画質劣化を防止できる。
【００５５】
変形例３：
印刷装置１０は、上述のように印刷ヘッド２１が主走査方向ＳＤに沿って移動する、いわゆるシリアルプリンターに限られない。例えば、印刷装置１０は、ノズル２３が主走査方向ＳＤに沿って並ぶインク種類毎のノズル列を搬送方向ＦＤに複数並列させたラインプリンター用ヘッドを有する、いわゆるラインプリンターであってもよい。また、ノズル２３からドットを吐出させる手段も、前記圧電素子に限られず、発熱素子によりインクを加熱してノズル２３からドットを吐出させる手段を採用してもよい。さらに、プリンターが採用する印刷方式は、前記のようなインクジェット方式に限る必要はなく、レーザー方式やサーマル方式であってもよい。
【符号の説明】
【００５６】
１０…印刷装置、１１…制御部、２１…印刷ヘッド、２３…ノズル、２４…ノズル列、２５…ノズル面、３０…調整装置、４０…測定器、５０…システム、ＦＤ…搬送方向、Ｇ１，Ｇ２，Ｇ３，Ｇ４…（ノズル）グループ、ＩＭ…レンチキュラー画像、Ｌ…レンチキュラーレンズ、Ｌａ…単位レンズ、ＰＧ…ペーパーギャップ、Ｓ…レンチキュラーシート、ＳＤ…主走査方向
【図１】
2015030151.tif 000003
【図２】
2015030151.tif 000004
【図３】
2015030151.tif 000005
【図４】
2015030151.tif 000006
【図５】
2015030151.tif 000007
【図６】
2015030151.tif 000008
【図７】
2015030151.tif 000009
【図８】
2015030151.tif 000010